(57)【要約】【課題】テレビ受像機のマイコンのメモリ容量が小さかったために、仕向地毎に仕様の異なるテレビ受像機の生産効率が悪かった。【解決手段】集中信号放送装置Ａ１で生成したＯＳＤ表示画面用データなどの仕向地毎に異なるデジタルデータを、デジタルテレビ本体２０が備える共通のメモリに生産ライン上で記憶させることにより、仕向地毎の生産台数に応じて、各仕向地仕様のデジタルテレビを量産することが可能になる。また、集中信号放送装置Ａ１側において、上記デジタルテレビ本体２０のメモリへの記憶処理が適切に実行されたか否かを判断することにより、生産の効率がより向上する。【選択図】  図１
2004328373.tif 000002
【特許請求の範囲】
【請求項１】
所定のデジタルデータを含むデジタル放送信号の発生処理を実行するデジタル放送信号発生部と、
上記デジタル放送信号発生部が発生した上記デジタル放送信号の転送処理を実行するサーバと、
上記サーバから転送されるデジタル放送信号を第一のアンテナ部から送信するデジタル放送信号送信部と、
を備える集中信号放送装置と、
上記送信されたデジタル放送信号を受信する第二のアンテナ部と接続し、複数チャンネルから所定のチャンネルを選局して受信信号を出力するチューナと、
上記チューナが出力した受信信号に基づいて所定のエラー処理を実行しつつデジタル変換したデジタル信号を生成するデジタル信号生成部と、
上記生成されたデジタル信号に含まれている各種デジタルデータを抽出するデジタルデータ抽出部と、
上記デジタルデータ抽出部にて抽出されたＭＰＥＧ圧縮されたデジタルデータをデコードするデコード部と、
上記デコード部にてデコードされた映像データをアナログ映像信号に変換するアナログ映像信号変換部と、
上記デコード部にてデコードされた音声データをアナログ音声信号に変換するアナログ音声信号変換部と、
上記アナログ映像信号に基づいて表示を行うディスプレイと、
上記アナログ音声信号を出力するスピーカと、
仕向地毎の仕様の差別化に用いられる仕向地別仕様デジタルデータを記憶するための書込み可能な専用領域を有するメモリと、
上記デジタルデータ抽出部に上記仕向地別仕様デジタルデータを抽出させるとともに、上記仕向地別仕様デジタルデータを上記メモリに記憶させる処理を実行するマイコンと、
を備えるデジタルテレビ調整装置と、
上記ディスプレイでの表示結果を入力するＣＣＤカメラ部と、
上記ＣＣＤカメラ部による入力結果に基づいてパターンマッチングを実行して、当該パターンマッチングによる認識結果を上記デジタル放送信号発生部へ送信するパターンマッチング部と、
を備える表示結果処理装置と、
を具備することを特徴とするデジタルテレビ調整システム。
【請求項２】
所定のデジタル放送信号を生成するデジタル放送信号発生手段と、
上記デジタル放送信号を送信するデジタル放送信号送信手段と、
を備える集中信号放送装置と、
上記デジタル放送信号送信手段から送信された所定のデジタルデータが含まれるデジタル放送信号を受信するデジタル放送信号受信手段と、
上記受信したデジタル放送信号から仕向地毎の仕様の差別化に用いられる仕向地別仕様デジタルデータを抽出するデジタルデータ抽出手段と、
上記抽出された仕向地別仕様デジタルデータを記憶するための書込み可能な専用領域を有するメモリと、
所定の調整処理を実行するとともに、上記抽出された仕向地別仕様デジタルデータを上記メモリに記憶にさせる処理を実行する調整処理実行手段と、
を備えるデジタルテレビ調整装置と、
上記デジタルテレビ調整装置の表示結果を撮像する画像入力手段と、
上記画像入力手段による撮像結果に基づいて上記調整処理実行手段による処理の結果を認識し、当該認識結果を上記デジタル放送信号発生手段へ送信する認識結果送信手段と、
を備える表示結果処理装置と、
を具備することを特徴とするデジタルテレビ調整システム。
【請求項３】
上記調整処理実行手段は、上記書込み可能な専用領域を有するメモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号に基づいて仕向地毎に仕様の異なる画面表示をディスプレイに表示する処理を行うことを特徴とする請求項２に記載のデジタルテレビ調整システム。
【請求項４】
上記調整処理実行手段は、上記書込み可能な専用領域を有するメモリに上記仕向地別仕様デジタルデータを記憶する処理が適切に終了したときに、上記記憶処理が適切に終了したことを示す所定の表示パターンをディスプレイに表示することを特徴とする請求項２または請求項３に記載のデジタルテレビ調整システム。
【請求項５】
上記記憶処理が適切に終了したことを示す所定の表示パターンをディスプレイに表示するための表示パターンデータは、上記仕向地別仕様デジタルデータとともに上記デジタル放送信号に含まれて送信されていることを特徴とする請求項４に記載のデジタルテレビ調整システム。
【請求項６】
所定のデジタルデータが含まれたデジタル放送信号を受信するデジタル放送信号受信手段と、
上記受信したデジタル放送信号から仕向地毎の仕様の差別化に用いられる仕向地別仕様デジタルデータを抽出するデータ抽出手段と、
上記抽出された仕向地別仕様デジタルデータを記憶するための書込み可能な専用領域を有するメモリと、
所定の調整処理を実行するとともに、上記抽出された仕向地別仕様デジタルデータを上記メモリに記憶にさせる処理を実行する調整処理実行手段と、
を備えるデジタルテレビ調整装置。
【請求項７】
上記調整処理実行手段は、上記書込み可能な専用領域を有するメモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号に基づいて仕向地毎に仕様の異なる画面表示をディスプレイに表示する処理を行うことを特徴とする請求項６に記載のデジタルテレビ調整装置。
【請求項８】
上記調整処理実行手段は、上記書込み可能な専用領域を有するメモリに上記仕向地別仕様デジタルデータを記憶する処理が適切に終了したときに、上記記憶処理が適切に終了したことを示す所定の表示パターンをディスプレイに表示することを特徴とする請求項６または請求項７に記載のデジタルテレビ調整装置。
【請求項９】
上記記憶処理が適切に終了したことを示す所定の表示パターンをディスプレイに表示するための表示パターンデータは、上記仕向地別仕様デジタルデータとともに上記デジタル放送信号に含まれて送信されていることを特徴とする請求項８に記載のデジタルテレビ調整装置。
【請求項１０】
デジタルテレビについての所定のデジタルデータを記憶する処理を実行するデジタルテレビ調整方法であって、
所定のデジタルデータが含まれたデジタル放送信号を受信するデジタル放送信号受信工程と、
上記受信したデジタル放送信号から仕向地毎の仕様の差別化に用いられる仕向地別仕様デジタルデータを抽出するデータ抽出工程と、
所定の調整処理を実行するとともに、上記抽出された仕向地別仕様デジタルデータを記憶するための書込み可能な専用領域を有するメモリに上記抽出された仕向地別仕様デジタルデータを記憶する処理を実行する調整処理実行工程と、
を具備することを特徴とするデジタルテレビ調整方法。
【発明の詳細な説明】
【０００１】
【発明の属する技術分野】
本発明は、デジタルテレビ調整システム、デジタルテレビ調整装置およびデジタルテレビ調整方法に関し、特に、生産時において集中信号を用いて各種調整を実施するデジタルテレビ調整システム、デジタルテレビ調整装置およびデジタルテレビ調整方法に関する。
【０００２】
【従来の技術】
従来、工場でのテレビ受像機の生産においては、テレビ受像機の映像や音声の各種調整を行うために、各種調整データを集中信号にのせて工場内の生産ラインに送信している。そして、生産ラインを流れるテレビ受像機が各調整項目毎に調整データを受信して、映像、音声など各種調整を行っている。
【０００３】
また、デジタル放送受像機に、通常の受信機能とは異なるオンスクリーンディスプレイ（ＯＳＤ）表示用データなどを別途配信する技術としては、作成したデジタルデータを管理、放送を行うデータ放送センタと、同データ放送センタからのデジタルデータ放送を受信し、同デジタルデータを一時的に記録し、同記録されたデジタルデータの中から蓄積すべきデジタルデータを選択し、選択したデジタルデータを蓄積するデジタル放送受信装置とからなるデジタルデータ配信システムが知られている（例えば特許文献１参照。）。
上記デジタルデータ配信システムにおいては、ある定められたフォーマットに従って作成されたＯＳＤ表示用データをデータ放送でデジタル放送受信機に配信する。デジタル放送受信機側においては、ユーザによって指定された番組名や記録開始時間に従って同ＯＳＤ表示用データをダウンロードして蓄積し、蓄積した同ＯＳＤ表示用データを使用して番組ガイドなどの画面を表示することにより、ユーザの好みに合ったＯＳＤ表示を可能としている。
【０００４】
【特許文献１】
特開２００１−２９８６７０号公報
【０００５】
【発明が解決しようとする課題】
上述した従来のテレビ受像機の生産においては、マイコンのメモリ容量が小さいために、放送波復調後の信号処理を行うテレビ受像機としての基本的機能を担うプログラムを備えさせ、映像や音声などの調整を行うと、メモリの容量はほとんど残っていない状況であった。したがって、共通の基本的性能を備えたテレビ受像機に仕向地別のＯＳＤ表示やアイコングラフィック用などのプログラムやデータを備えようとすると、これら仕向地用のプログラムやデータを記録した固有のメモリを仕向地の生産台数毎のテレビ受像機に別途搭載する必要があった。しかし、仕向地毎に仕様の異なるテレビ受像機を大量生産しようとすると、仕向地が変わる度に、別の仕向地用のプログラムやデータを記録したメモリを搭載するために生産ラインを一度停止するなど、生産効率の向上が難しいという課題があった。
【０００６】
また、上述した特許文献１に記載されたデジタルデータ配信システムでは、放送されたデジタルデータのうちいずれのデータを受信するかは、デジタル放送受信装置側の制御により決まる。したがって、共通の基本的性能を備えたデジタルテレビ受像機に対して仕向地毎に異なるデジタルデータを配信することはできないという課題があった。
【０００７】
【目的】
本発明は、上記課題にかんがみてされたもので、デジタルテレビの生産を効率化することが可能なデジタルテレビ調整システム、デジタルテレビ調整装置およびデジタルテレビ調整方法の提供を目的とする。
【０００８】
【課題を解決するための手段】
上記目的を達成するために、請求項１にかかる発明は、所定のデジタルデータを含むデジタル放送信号の発生処理を実行するデジタル放送信号発生部と、上記デジタル放送信号発生部が発生した上記デジタル放送信号の転送処理を実行するサーバと、上記サーバから転送されるデジタル放送信号を第一のアンテナ部から送信するデジタル放送信号送信部とを備える集中信号放送装置と、上記送信されたデジタル放送信号を受信する第二のアンテナ部と接続し、複数チャンネルから所定のチャンネルを選局して受信信号を出力するチューナと、上記チューナが出力した受信信号に基づいて所定のエラー処理を実行しつつデジタル変換したデジタル信号を生成するデジタル信号生成部と、上記生成されたデジタル信号に含まれている各種デジタルデータを抽出するデジタルデータ抽出部と、上記デジタルデータ抽出部にて抽出されたＭＰＥＧ圧縮されたデジタルデータをデコードするデコード部と、上記デコード部にてデコードされた映像データをアナログ映像信号に変換するアナログ映像信号変換部と、上記デコード部にてデコードされた音声データをアナログ音声信号に変換するアナログ音声信号変換部と、上記アナログ映像信号に基づいて表示を行うディスプレイと、上記アナログ音声信号を出力するスピーカと、仕向地毎の仕様の差別化に用いられる仕向地別仕様デジタルデータを記憶するための書込み可能な専用領域を有するメモリと、上記デジタルデータ抽出部に上記仕向地別仕様デジタルデータを抽出させるとともに、上記仕向地別仕様デジタルデータを上記メモリに記憶させる処理を実行するマイコンとを備えるデジタルテレビ調整装置と、上記ディスプレイでの表示結果を入力するＣＣＤカメラ部と、上記ＣＣＤカメラ部による入力結果に基づいてパターンマッチングを実行して、当該パターンマッチングによる認識結果を上記デジタル放送信号発生部へ送信するパターンマッチング部とを備える表示結果処理装置とを具備する構成としてある。
【０００９】
上記のように構成した請求項１にかかる発明においては、デジタル放送信号発生部が所定のデジタルデータを含むデジタル放送信号の発生処理を実行し、サーバは上記デジタル放送信号発生部が発生した上記デジタル放送信号の転送処理を実行する。そして、デジタル放送信号送信部は上記サーバからのデジタル放送信号の転送を受けて第一のアンテナ部からデジタル放送信号を第二のアンテナ部に向けて送信する。
【００１０】
次に、チューナは同チューナに接続された第二のアンテナ部から出力される複数チャンネルのデジタル放送信号から所定のチャンネルを選局して受信信号を出力する。このチューナが出力した受信信号はアナログ信号であるため、デジタル信号生成部は、当該受信信号に基づいて所定のエラー処理を実行しつつデジタル変換したデジタル信号を生成する。次に、デジタルデータ抽出部は上記生成されたデジタル信号に含まれている各種デジタルデータを抽出する。デコード部は上記デジタルデータ抽出部にて抽出されたＭＰＥＧ圧縮されたデジタルデータをデコードする。アナログ映像信号変換部は上記デコード部にてデコードされた映像データをアナログ映像信号に変換し、ディスプレイは上記アナログ映像信号に基づいて映像を出力可能になっている。また、アナログ音声信号変換部は上記デコード部にてデコードされた音声データをアナログ音声信号に変換し、スピーカは上記アナログ音声信号に基づいて音声を出力可能になっている。
【００１１】
ここで、上記マイコンは、上記デジタルデータ抽出部に仕向地毎の仕様の差別化に用いられる仕向地別仕様デジタルデータを抽出させるとともに、当該仕向地別仕様デジタルデータを上記メモリに記憶させる処理を実行する。
すなわち、デジタルテレビ受像機に一定のメモリ領域を設けることにより、仕向地毎によって異なる仕様のデジタルデータを記憶させる。従って、共通の基本的性能を備えた仕様のデジタルテレビ受像機を基礎として、ＯＳＤ表示のフォントやアイコングラフィックなどが仕向地毎によって異なる仕様のデジタルテレビ受像機の調整をすることができる。また、仕向地別仕様デジタルデータを記録するためのメモリは全てのデジタルテレビ受像機に共通に備えられているため、工場における大量生産に際してＯＳＤ表示のフォントやアイコングラフィックなどが仕向地毎によって異なる仕様のデジタルテレビ受像機を効率よく生産をすることができる。
【００１２】
次に、上記ＣＣＤカメラ部はディスプレイでの表示結果を入力し、上記パターンマッチング部は上記ＣＣＤカメラ部による入力結果に基づいてパターンマッチングを実行して、当該パターンマッチングによる認識結果を上記デジタル放送信号発生部へ送信する。上記のように、ディスプレイでの表示結果をパターンマッチングし、当該パターンマッチングの認識結果を上記デジタル放送信号発生部へ送信することにより、上記メモリに記憶させる処理が適切に実行されたか否かを、集中信号放送装置側において判断するための処理経路を確立することができる。
【００１３】
ここで、請求項２にかかる発明は、所定のデジタル放送信号を生成するデジタル放送信号発生手段と、上記デジタル放送信号を送信するデジタル放送信号送信手段とを備える集中信号放送装置と、上記デジタル放送信号送信手段から送信された所定のデジタルデータが含まれるデジタル放送信号を受信するデジタル放送信号受信手段と、上記受信したデジタル放送信号から仕向地毎の仕様の差別化に用いられる仕向地別仕様デジタルデータを抽出するデジタルデータ抽出手段と、上記抽出された仕向地別仕様デジタルデータを記憶するための書込み可能な専用領域を有するメモリと、所定の調整処理を実行するとともに、上記抽出された仕向地別仕様デジタルデータを上記メモリに記憶にさせる処理を実行する調整処理実行手段とを備えるデジタルテレビ調整装置と、上記デジタルテレビ調整装置の表示結果を撮像する画像入力手段と、上記画像入力手段による撮像結果に基づいて上記調整処理実行手段による処理の結果を認識し、当該認識結果を上記デジタル放送信号発生手段へ送信する認識結果送信手段とを備える表示結果処理装置とを具備する構成としてある。
【００１４】
上記のように構成した請求項２にかかる発明においては、上記デジタル放送信号発生手段が所定のデジタル放送信号を生成し、上記デジタル放送信号送信手段が上記デジタル放送信号を上記デジタルテレビ調整装置のデジタル放送信号受信手段へ送信する。上記デジタル放送信号受信手段は上記送信された所定のデジタルデータが含まれるデジタル放送信号を受信し、上記デジタルデータ抽出手段は、受信したデジタル放送信号から仕向地毎の仕様の差別化に用いられる仕向地別仕様デジタルデータを抽出する。そして、上記調整処理実行手段は、所定の調整処理を実行するとともに、上記抽出された仕向地別仕様デジタルデータを上記メモリに記憶にさせる処理を実行する。次に、上記画像入力手段はデジタルテレビ調整装置の表示結果を撮像する。そして、上記認識結果送信手段は上記画像入力手段による撮像結果に基づいて上記調整処理実行手段による処理の結果を認識し、当該認識結果を上記デジタル放送信号発生手段へ送信する。上記構成により、集中信号放送装置において生成された仕向地別仕様デジタルデータをデジタルテレビ調整装置中の一定のメモリ領域に記憶させることが可能となる。また、デジタルテレビ調整装置の表示結果がデジタル放送信号発生手段へフィードバックされるので、上記記憶処理が適切に実行されたか否かについても集中信号放送装置側において判断が可能となる。
【００１５】
仕向地別仕様デジタルデータの活用方法の一態様として、請求項３にかかる発明は、上記請求項２に記載のデジタルテレビ調整システムにおいて、上記調整処理実行手段は、上記書込み可能な専用領域を有するメモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号に基づいて仕向地毎に仕様の異なる画面表示をディスプレイに表示する処理を行う構成としてある。
【００１６】
上記のように構成した請求項３にかかる発明においては、上記調整処理実行手段は、上記メモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号をアナログ信号に変換して仕向地毎に仕様の異なる画面表示をディスプレイに表示する。すなわち、仕向地別仕様デジタルデータに基づいて、仕向地毎に仕様の異なるＯＳＤ表示やアイコングラフィックをディスプレイに表示することで、実際に仕向地毎に異なる仕様のディスプレイ上のデザインが提供される。
【００１７】
ここで、上記書込み可能な専用領域を有するメモリへの仕向地別仕様デジタルデータの記憶処理が終了したことを確認するための処理の一例として、請求項４にかかる発明は、上記請求項２または請求項３に記載のデジタルテレビ調整システムにおいて、上記調整処理実行手段は、上記書込み可能な専用領域を有するメモリに上記仕向地別仕様デジタルデータを記憶する処理が適切に終了したときに、上記記憶処理が適切に終了したことを示す所定の表示パターンをディスプレイに表示する構成としてある。
【００１８】
上記のように構成した請求項４にかかる発明においては、上記調整処理実行手段は、上記メモリに上記仕向地別仕様デジタルデータを記憶する処理が適切に終了したときに、上記記憶処理が適切に終了したことを示す所定の表示パターンをディスプレイに表示する。上記表示を行うことにより上記画像入力手段は所定の表示パターンを撮像することがでる。上記認識結果送信手段は上記撮像結果に基づいて、上記記憶処理が適切に終了したことを認識し、当該認識結果を上記デジタル放送信号生成手段に送信する。そして、当該認識結果の送信を受けた上記デジタル放送信号発生手段は上記記憶処理が適切に実行されたことを認識する。上述のような処理を行うことにより、集中信号放送装置の側において上記記憶処理が適切に実行されたことを認識するための処理経路が確立され、デジタルテレビ受像機の調整の効率性が上がる。
【００１９】
さらに、請求項５にかかる発明は、上記請求項４に記載のデジタルテレビ調整システムにおいて、上記記憶処理が適切に終了したことを示す所定の表示パターンをディスプレイに表示するための表示パターンデータは、上記仕向地別仕様デジタルデータとともに上記デジタル放送信号に含まれて送信されている構成としてある。
【００２０】
上記のように構成した請求項５にかかる発明においては、上記記憶処理が適切に終了したことを示す所定の表示パターンをディスプレイに表示するための表示パターンデータは、上記仕向地別仕様デジタルデータとともに上記デジタル放送信号に含まれて送信されている。すなわち、上記所定の表示パターンデータは仕向地別仕様デジタルデータと同様に集中信号放送装置側で生成され送信される。従って、デジタルテレビ調整装置の側で予め上記所定の表示パターンデータを備えておく必要はないため、共通の基本的性能を備えた仕様のデジタルテレビ受像機を基礎としたデジタルテレビ受像機の調整を効率よく行うことができる。
【００２１】
以上では、デジタルテレビ調整システムとして説明を行ったが、本発明はデジタルテレビ調整装置として個別に構成した場合であっても有用となる。
デジタルテレビ調整装置として個別に構成した場合の一例として、請求項６にかかる発明は、所定のデジタルデータが含まれたデジタル放送信号を受信するデジタル放送信号受信手段と、上記受信したデジタル放送信号から仕向地毎の仕様の差別化に用いられる仕向地別仕様デジタルデータを抽出するデジタルデータ抽出手段と、上記抽出された仕向地別仕様デジタルデータを記憶するための読込み可能な専用領域を有するメモリと、所定の調整処理を実行するとともに、上記抽出された仕向地別仕様デジタルデータを上記メモリに記憶にさせる処理を実行する調整処理実行手段とを備える構成としてある。
【００２２】
上記のように構成した請求項６にかかる発明においては、デジタル放送信号受信手段は所定のデジタルデータが含まれたデジタル放送信号を受信し、デジタルデータ抽出手段は上記受信したデジタル放送信号から仕向地毎の仕様の差別化に用いられる仕向地別仕様デジタルデータを抽出する。そして、調整処理実行手段は、所定の調整処理を実行するとともに、上記抽出された仕向地別仕様デジタルデータを上記メモリに記憶させる処理を実行する。
【００２３】
また、デジタルテレビ調整装置として個別に構成したものとして請求項７にかかる発明は、上記請求項６に記載のデジタルテレビ調整装置において、上記調整処理実行手段は、上記書込み可能な専用領域を有するメモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号に基づいて仕向地毎に仕様の異なる画面表示をディスプレイに表示する処理を行う構成としてある。
【００２４】
上記のように構成した請求項７にかかる発明においては、上記調整処理実行手段は、上記メモリから上記仕向地別仕様デジタルデータを取得し、同取得した仕向地別仕様デジタルデータに基づいて、仕向地毎に仕様の異なる画面表示を表示するためのデジタル信号を形成し、同形成したデジタル信号をアナログ信号に変換して仕向地毎に仕様の異なる画面表示をディスプレイに表示する。
【００２５】
また、請求項８にかかる発明は、上記請求項６または請求項７に記載のデジタルテレビ調整装置において、上記調整処理実行手段は、上記書込み可能な専用領域を有するメモリに上記仕向地別仕様デジタルデータを記憶する処理が適切に終了したときに、上記記憶処理が適切に終了したことを示す所定の表示パターンをディスプレイに表示する構成としてある。
【００２６】
上記の様に構成した請求項８にかかる発明においては、上記調整処理実行手段は、上記メモリに上記仕向地別仕様デジタルデータを記憶する処理が適切に終了したときに、上記記憶処理が適切に終了したことを示す所定の表示パターンをディスプレイに表示する。
【００２７】
また、請求項９にかかる発明は、上記請求項８に記載のデジタルテレビ調整装置において、上記記憶処理が適切に終了したことを示す所定の表示パターンをディスプレイに表示するための表示パターンデータは、上記仕向地別仕様デジタルデータとともに上記デジタル放送信号に含まれて送信されている構成としてある。
【００２８】
上記の様に構成した請求項９にかかる発明においては、上記所定の表示パターンデータは仕向地別仕様デジタルデータと同様に集中信号放送装置側で生成され送信される。
【００２９】
このように、デジタルテレビについての所定のデジタルデータを記憶する処理を実行する手法は必ずしも実体のあるシステムや装置に限られる必要はなく、その方法としても機能することは容易に理解できる。
このため、請求項１０にかかる発明は、デジタルテレビについての所定のデジタルデータを記憶する処理を実行するデジタルテレビ調整方法であって、所定のデジタルデータが含まれたデジタル放送信号を受信するデジタル放送信号受信工程と、上記受信したデジタル放送信号から仕向地毎の仕様の差別化に用いられる仕向地別仕様デジタルデータを抽出するデータ抽出工程と、所定の調整処理を実行するとともに、上記抽出された仕向地別仕様デジタルデータを記憶するための書込み可能な専用領域を有するメモリに上記抽出された仕向地別仕様デジタルデータを記憶する処理を実行する調整処理実行工程とを具備する構成としてある。
すなわち、必ずしも実体のあるシステムや装置に限らず、その方法としても有効であることに相違はない。
【００３０】
【発明の効果】
以上説明したように請求項１および請求項２にかかる発明は、仕向地別仕様デジタルデータを一定の読込み可能な専用領域を有するメモリに記憶するデジタルテレビ受像機の調整に適したデジタルテレビ調整システムを提供することができる。
さらに、請求項３にかかる発明によれば、仕向地別仕様デジタルデータに基づくＯＳＤ表示やアイコングラフィックをディスプレイに表示することができ、実際に仕向地毎に異なる仕様のディスプレイ上のデザインが提供される。
さらに、請求項４にかかる発明によれば、仕向地別仕様デジタルデータの記憶処理が適切に終了したことを示す所定の表示パターンをディスプレイに表示することにより、記憶処理が適切に実行されたか否かを効率よく判断できる。
さらに、請求項５にかかる発明によれば、記憶処理が適切に終了したことを示す所定の表示パターンのための表示パターンデータは、仕向地別仕様デジタルデータとともに集中信号放送装置側で生成され送信されるため、共通仕様のデジタルテレビ受像機に対して、効率的に仕向地別仕様デジタルデータを記憶させることができる。
【００３１】
さらに、請求項６にかかる発明によれば、仕向地別仕様デジタルデータを一定の読込み可能な専用領域を有するメモリに記憶するデジタルテレビ調整装置を提供することができる。
さらに、請求項７にかかる発明によれば、仕向地別仕様デジタルデータに基づくＯＳＤ表示やアイコングラフィックをディスプレイに表示することができ、実際に仕向地毎に異なる仕様のディスプレイ上のデザインが提供される。
さらに、請求項８にかかる発明によれば、仕向地別仕様デジタルデータの記憶処理が適切に終了したことを示す所定の表示パターンをディスプレイに表示することにより、記憶処理が適切に実行されたか否かを効率よく判断できる。
さらに、請求項９にかかる発明によれば、記憶処理が適切に終了したことを示す所定の表示パターンのための表示パターンデータは、仕向地別仕様デジタルデータとともに集中信号放送装置側で生成され送信されるため、共通仕様のデジタルテレビ受像機に対して、効率的に仕向地別仕様デジタルデータを記憶させることができる。
さらに、請求項１０にかかる発明によれば、仕向地別仕様デジタルデータを一定の読込み可能な専用領域を有するメモリに記憶するデジタルテレビ受像機の調整に適したデジタルテレビ調整方法を提供することができる。
【００３２】
【発明の実施の形態】
以下、図面にもとづいて本発明の実施形態を説明する。
図１は、本発明にかかるデジタルテレビ調整システムの概略構成図である。
同図において、デジタルテレビ調整装置Ａ２は、工場のデジタルテレビの生産ラインにおける調整工程に使用されるものであり、デジタルテレビ本体２０とアンテナ部１０から構成される。工場では、集中信号放送装置Ａ１からデジタル放送信号が送信されるようになっており、同デジタル放送信号はデジタル放送信号発生部を担当するコンピュータ９３にて生成される。同デジタル放送信号は、デジタルテレビの仕向地毎に異なる仕様のＯＳＤ表示などを表示するためのデジタルデータを含んでいる。集中信号放送装置Ａ１は、上記コンピュータ９３において生成されたデジタル放送信号をデジタルテレビ調整装置Ａ２に対して送信する。そして、デジタルテレビ調整装置Ａ２では、チャンネルを上記信号を受け付ける所定のチャンネルに切り替えて、デジタルデータを取得し、このデジタルデータを記憶する所定の処理を実行する。また、表示結果処理装置Ａ３は、デジタルテレビ調整装置Ａ２のディスプレイ２８上の表示結果を入力し、当該入力結果に基づくパターンマッチングの認識結果を集中信号放送装置Ａ１へ送信する。
【００３３】
図２は、本発明にかかるデジタルテレビ調整装置Ａ２の構成を示したブロック構成図である。
同図において、デジタルテレビ調整装置Ａ２は、アンテナ部１０と、デジタルテレビ本体２０から構成されている。アンテナ部１０は、アンテナ１１にて受信した１２ＧＨｚ帯のデジタル放送信号を低雑音コンバータ部１２で１ＧＨｚ帯の中間周波信号に周波数変換し、同中間周波信号を出力端子１３から出力する。そして、同中間周波信号は、入力端子２１を介してデジタルテレビ本体２０のチューナ部２２へ入力される。チューナ部２２は、ＣＰＵ２３から出力された選局制御信号に従って、入力された同中間周波信号に含まれる複数のチャンネルの中から一つのチャンネルを選択する。
【００３４】
そして、チューナ部２２の出力は、フロントエンド部２４に供給される。フロントエンド部２４は、Ａ／Ｄコンバータ、復調部、チャンネルイコライザ、エラー訂正デコード部などを備えている。フロントエンド部２４は、チューナ部２２から出力される信号をデジタル信号に変換する。フロントエンド部２４は、ＣＰＵ２３からの制御情報に基づいて、同変換したデジタル信号に対していわゆるゴーストキャンセルを行なうとともに、伝送路上で発生したビット誤りを訂正し、トランスポートストリーム出力を得る。
【００３５】
また、フロントエンド部２４は、復調およびエラー訂正処理を行って得たトランスポートストリームをトランスポート部２５に送出する。トランスポートストリームは、通常、スクランブルをかけられている。トランスポート部２５は、内部に、デスクランブル部２５ａと、デマルチプレックス部２５ｂと、デマルチプレックス処理時にワークエリアとして用いられるＤＲＡＭ２５ｃとを備えている。そして、フロントエンド部２４から出力されたトランスポートストリームは、トランスポート部２５のデスクランブル部２５ａに供給される。同デスクランブル部２５ａはトランスポートストリームのデスクランブル処理を行い、スクランブルを解除する。
【００３６】
スクランブルが解除されたトランスポートストリームは、映像信号や音声信号などがマルチプレックスされており、デマルチプレックス部２５ｂに供給される。また、同トランスポートストリームは、同トランスポートストリームなどをデジタル外部機器に提供するためのデジタルインターフェース部２６にも供給される。
【００３７】
デコード部２７は、ＭＰＥＧデコード部２７ａと、ＭＰＥＧデコード処理時などにワークエリアとして用いられるＤＲＡＭ２７ｂと、ＮＴＳＣエンコード部２７ｃと、音声信号Ｄ／Ａ変換部２７ｄとを備えている。上記トランスポートストリームにマルチプレックスされた映像信号や音声信号はＭＰＥＧ圧縮されている。したがって、ＭＰＥＧデコード部２７ａでは、デマルチプレックス部２５ｂから出力されるＭＰＥＧ圧縮された映像信号および音声信号の解凍処理を行なう。
【００３８】
また、このＭＰＥＧデコード部２７ａは、ＯＳＤ処理部２７ａ１を備えており、映像に番組情報など所定の静止画面を重ねて表示する処理を行うことができる。そして、解凍された映像信号はＮＴＳＣエンコード部２７ｃに供給され、同ＮＴＳＣエンコード部２７ｃは同映像信号をＮＴＳＣ方式のアナログ映像信号に変換する。同変換された映像信号は、ディスプレイ２８に供給され、同ディスプレイ２８は同映像信号に基づく映像を出力する。
【００３９】
一方、解凍された音声信号は、音声信号Ｄ／Ａ変換部２７ｄに供給され、同音声信号Ｄ／Ａ変換部２７ｄは、同音声信号をアナログ音声信号に変換する。そして、同アナログ音声信号は、スピーカ２９に供給され、同スピーカ２９は同アナログ音声信号に基づく音声を出力する。また、本実施形態では、ＭＰＥＧデコード部２７ａにおいて解凍された映像信号やデジタル音声信号は、外部機器に提供するためのデジタルインターフェース部２６にも供給される。当該デジタルインターフェース部２６は、出力用のデータを形成し、入出力端子３０を通じてデジタル外部機器に出力したり、当該入出力端子３０を通じてデジタル外部機器から入力されるデータをこのデジタルテレビ本体２０において処理可能なデータにして受け入れる処理を行う。
【００４０】
上述したＣＰＵ２３はバス３１に接続されており、同ＣＰＵ２３は、バス３１に接続されたＲＡＭ３２をワークエリアとしながら、当該デジタルテレビ本体２０の各種機能を実現するための制御処理を実行する。制御処理を実行するプログラムは、予めＲＯＭ３３に格納されており、ＣＰＵ２３は、適宜ＲＯＭ３３から所定のプログラムをＲＡＭ３２に読み込みつつ制御処理を実行する。
【００４１】
また、本実施形態においては、書込み可能なメモリに、デジタルテレビの仕向地毎に異なるＯＳＤ表示用などのデジタルデータを書き込む必要があるため、バス３１には、当該デジタルデータを記憶する専用のフラッシュメモリ３２ａが接続されている。なお、当該専用のメモリは不揮発性メモリであれば良く、フラッシュメモリに限られない。ここで、本実施形態においては、上記デジタルデータを記憶するための一定のメモリ領域が存在していればよいので、上記フラッシュメモリ３２ａを別途設けること無く上記ＲＡＭ３２内の一定領域に上記デジタルデータを記憶する構成としても良い。また、バス３１には、リモコンＩ／Ｆ３４が接続されており、外部機器としてのリモコン送信機４０から出力される赤外線明滅信号を入力可能になっている。リモコンＩ／Ｆ３４は同赤外線明滅信号を電気信号に変換する。そして、同電気信号はバス３１を介してＣＰＵ２３に送出され、ＣＰＵ２３は対応する制御処理を実行する。さらに、バス３１には、ＩＣカードＩ／Ｆ３５が接続されており、同ＩＣカードＩ／Ｆ３５は、挿入されるＩＣカード５０に記憶された情報を読み取ってバス３１を介してＣＰＵ２３に送出する。
【００４２】
図３は、デマルチプレックス部２５ｂの内部構成を示した構成図である。
同図において、デマルチプレックス部２５ｂは、パケットＩＤフィルタ２５ｂ１と、セクションフィルタ２５ｂ２を備えている。パケットＩＤフィルタ２５ｂ１は、各トランスポートストリームのヘッダ情報に付加されているパケットＩＤに基づいて、トランスポートストリームから所定の映像信号や音声信号等のデータを抽出する。そして、同パケットＩＤフィルタ２５ｂ１は、上記映像信号や音声信号等のデータをＭＰＥＧデコード部２７ａに供給する。一方、ヘッダ情報は、セクションフィルタ２５ｂ２に供給され、同ヘッダ情報から所定の制御情報が抽出されバス３１に送出される。ＣＰＵ２３は上記制御情報を入力して所定の制御処理を実行する。また、上記デマルチプレックス部２５ｂは、ヘッダ情報に含まれる同期ビットに基づいて、映像信号および音声信号の同期再生の基準となるプログラム・クロック・リファレンスを再生する。
【００４３】
本実施形態においては、デジタルテレビ本体２０内の所定のメモリへ仕向地別仕様デジタルデータを記憶させるための処理をデジタル放送信号を利用して行なう。ここで、仕向地別仕様デジタルデータとは、デジタルテレビの仕向地毎に異なるＯＳＤ表示やアイコングラフィック、フォントなどを表示するために必要なデジタルデータをいう。また、その他仕向地毎に仕様が異なる画面や音声を出力するために必要なデジタルデータをいう。
【００４４】
図４は、デジタルテレビ本体２０へ上記記憶処理を行なう、調整ステーションＳＴの構成を示した構成図である。
同図において、調整ステーションＳＴは、生産ライン６０と、接続設備７０と、アンテナ部１０にて構成される。生産ライン６０は同図奥側から手前方向にデジタルテレビ本体２０を搬送して調整ステーションＳＴに停止させる。接続設備７０は、デジタルテレビ本体２０の入力端子２１にアンテナジャック７２を挿入する。
【００４５】
アンテナジャック７２はアンテナ部１０の出力端子１３に接続しているケーブル７３を介して、デジタルテレビ本体２０とアンテナ部１０を接続する。当該接続によって、アンテナ部１０のアンテナ１１で受信されたデジタル放送信号をデジタルテレビ本体２０に入力することが可能になる。
また、アンテナジャック７２は、空気圧シリンダー７１のシリンダーに支持されている。そして、デジタルテレビ本体２０が生産ラインの流れによって調整ステーションＳＴに搬送されると、図５に示すように空気圧シリンダー７１の押出し動作によってアンテナジャック７２が入力端子２１に挿入される。
【００４６】
図６は、上述した仕向地別仕様デジタルデータがマルチプレックスされたトランスポートストリームの構成を示した構成図である。
同図において、トランスポートストリーム２００は、ＭＰＥＧ  Ｓｙｓｔｅｍで定義されているビット列であり、１８８バイトの固定長のパケット（トランスポートパケット）の集合である。そして、それぞれのトランスポートパケットは、ヘッダ情報と、特定の個別パケットに付加情報を入れるためのアダプテーションフィールドと、パケットの中身を表すペイロードから構成されている。
上記ペイロードには、圧縮された映像信号や圧縮された音声信号等が格納可能となっており、本実施形態においては、上述した仕向地別仕様デジタルデータが格納されることになる。また、本実施形態においては、上記仕向地別仕様デジタルデータを数値とみなして当該数値の合計を算出した、いわゆるチェックサム値も、仕向地別仕様デジタルデータと共に格納されている。当該チェックサム値は、デジタル放送信号発生部を担当するコンピュータ９３において予め生成されたものであり、後述するように、仕向地別仕様デジタルデータをフラッシュメモリ３２ａに記憶させる処理が適切に終了したか否かをＣＰＵ２３が判断する際に用いられる値である。
【００４７】
また、各トランスポートパケットのヘッダ情報は、４バイトにて構成され、その先頭は、同期バイトである。そして、ヘッダ情報には、上記同期バイトの他、当該パケットの識別情報であるパケットＩＤや、後続するアダプテーションフィールドやペイロードの有無などを示すフラグなどの制御情報が格納されている。
本実施形態においては、仕向地別仕様デジタルデータを格納したトランスポートパケットのパケットＩＤに仕向地別仕様デジタルデータが含まれていることを示す所定データを格納する。そして、当該所定データを格納することによって、何れのトランスポートパケットに仕向地別仕様デジタルデータが格納されているかを識別可能にする。本実施形態においてはパケットＩＤが「１」の場合に、同トランスポートパケットに仕向地別仕様デジタルデータが格納されていることとする。
【００４８】
本実施形態においては、上記トランスポートストリーム２００から構成されるデジタル放送信号をアンテナ部１０で受信して、仕向地別仕様デジタルデータをフラッシュメモリ３２ａに記憶する処理を行う。一方、デジタルテレビ本体２０は、上記デジタル放送信号を受信するにあたり、上記デジタル放送信号が何れのチャンネルで送られているかを認識する必要がある。図７はかかる認識を行なうための構成を示した構成図である。また、図８はかかる認識を行なうためにＣＰＵ２３にて実行されるチャンネル指示処理の処理内容を示したフローチャートである。
【００４９】
図において、ＩＣカード５０のメモリ５１の所定の領域５２に上記デジタル放送信号のチャンネルを記憶しておく。集中信号放送装置Ａ１のデジタル放送信号送信部９０は当該チャンネルに基づくデジタル放送信号を送信するとともに、デジタルテレビ本体２０では、ＣＰＵ２３が当該チャンネルをＩＣカードＩ／Ｆ３５を介して読み出して（ステップＳ１００）、記憶されているチャンネルＮｏ．を取得する（ステップＳ１０５）。そして、ＣＰＵ２３はチューナ部２２に選局制御信号を出力する（ステップＳ１１０）。チューナ部２２は、この選局制御信号に基づいて動作し、上記トランスポートストリーム２００にて構成されたデジタル放送信号を選択する。
【００５０】
また、デジタルテレビ本体２０においてデジタル放送信号のチャンネルを認識するための構成は、以下のようにしても良い。
外部機器としての上記リモコン送信機４０からデジタルテレビ本体２０へ出力される赤外線明滅信号を、デジタルテレビ本体２０は、リモコンＩ／Ｆ３４を介して入力する。次に、ＣＰＵ２３が上記赤外線明滅信号に基づく電気信号よって選択されているチャンネルＮｏ．を取得する。そして、ＣＰＵ２３は、チューナ部２２へ選局制御信号を出力する。チューナ部２２は、当該選局制御信号に基づいて動作し、上記トランスポートストリーム２００にて構成されたデジタル放送信号を選択する。
【００５１】
図９は、トランスポートストリーム２００に仕向地別仕様デジタルデータが格納されている場合に、仕向地別仕様デジタルデータをフラッシュメモリ３２ａに記憶させる処理の内容を示したフローチャートである。
同図において、ＣＰＵ２３は、デマルチプレックス部２５ｂを制御して、トランスポートストリーム２００から順次トランスポートパケットを取得する（ステップＳ２００）。そして、取得したトランスポートパケットのヘッダ情報を抽出してパケットＩＤが「１」であるか否かを判別する（ステップＳ２０５）。パケットＩＤが「１」であれば、そのトランスポートパケットには仕向地別仕様デジタルデータが格納されているため、ペイロードから仕向地別仕様デジタルデータを取得する（ステップＳ２１０）。そして、当該取得した仕向地別仕様デジタルデータをフラッシュメモリ３２ａに転送し、当該フラッシュメモリ３２ａに仕向地別仕様デジタルデータを記憶させる（ステップＳ２１５）。そして、ＣＰＵ２３は、トランスポートストリーム２００から次のトランスポートパケットを取得し、繰り返し上記処理を実行し、トランスポートパケットに格納された全ての仕向地別仕様デジタルデータをフラッシュメモリ３２ａに記憶させる（ステップＳ２２０）。
【００５２】
図１０は、ＣＰＵ２３が、上記フラッシュメモリ３２ａに記憶された仕向地別仕様デジタルデータに基づく表示をディスプレイ２８上に表示するために実行する処理の処理内容を示したフローチャートである。
同図において、ＣＰＵ２３はフラッシュメモリ３２ａから上記仕向地別仕様デジタルデータを取得する（ステップＳ３００）。次に、上記取得した仕向地別仕様デジタルデータをＭＰＥＧデコード部２７ａに転送する（ステップＳ３０５）。そして、ＣＰＵ２３は、ＭＰＥＧデコード部２７ａのＯＳＤ処理部２７ａ１を制御して仕向地別仕様デジタルデータに基づいて、仕向地毎に異なる仕様の表示を表示するための画像信号を形成する（ステップＳ３１０）。
上記処理を受けて、ＮＴＳＣエンコード部２７ｃは、上記画像信号からアナログ映像信号への変換を行い、ディスプレイ２８は、当該映像信号に基づく仕向地毎に異なる仕様の表示を表示する。つまり、仕向地毎に異なる仕様のＯＳＤ表示やアイコングラフィックなどが、実際にディスプレイ２８上に表示される。
【００５３】
以下に、図９において説明した上記記憶処理が適切に実行されたか否かを確認するための、所定の処理および所定の装置について説明する。
まず、ＣＰＵ２３は、上記記憶処理が適切に終了したか否かを判断する必要がある。本実施形態においては、当該判断はいわゆるチェックサム処理を実行することにより行う。チェックサム処理とは、データ伝送において、伝送されたデータに誤りが無いかどうかをチェックする方法の一つである。例えば、送信側はデータパケット内のデータのバイト数を計算し、当該計算値をチェックサム値としてパケット内に書き込み、送信する。一方、受信側では、受信したデータに基づいて算出したチェックサム値とデータ送信側から送信されたチェックサム値とを比較する。そして、両チェックサム値が一致するか否かによって、送信されたデータを適切に受信できたか否かを判断する。
また、本実施形態においては、ＣＰＵ２３は、上記チェックサム処理の結果に基づいて、上記記憶処理が適切に終了したことを示す所定の表示パターン、または適切に終了しなかったことを示す所定の表示パターンの何れかをディスプレイ２８に表示するための処理を実行する。
【００５４】
図１１は、ＣＰＵ２３が、上記チェックサム処理を実行し、同チェックサム処理の結果に基づいて、所定の表示パターンをディスプレイ２８に表示するための処理内容を示したフローチャートである。
同図において、ＣＰＵ２３は、上記トランスポートパケットから、格納されているチェックサム値（第一チェックサム値）を取得する（ステップＳ４００）。当該チェックサム値は、デジタル放送信号発生部を担当するコンピュータ９３において予め生成され、仕向地別仕様デジタルデータと共に集中信号放送装置Ａ１から送信されたものである。次に、ＣＰＵ２３は、上記フラッシュメモリ３２ａに記憶された仕向地別仕様デジタルデータに基づいてチェックサム値（第二チェックサム値）を算出する（ステップＳ４０５）。
そして、ＣＰＵ２３は、上記第一チェックサム値と第二チェックサム値の比較を行う（ステップＳ４１０）。両チェックサム値が一致する場合、ＣＰＵ２３は、上記集中信号放送装置Ａ１から送信された仕向地別仕様デジタルデータが、適切にフラッシュメモリ３２ａに記憶されたものと判断する。一方、両チェックサム値が一致しない場合、ＣＰＵ２３は、送信された仕向地別仕様デジタルデータが、適切にフラッシュメモリ３２ａに記憶されなかったものと判断する（ステップＳ４１５）。
【００５５】
次に、ＣＰＵ２３は上記判断に従い、上記記憶処理が適切に終了したことを示す所定の表示パターン、または適切に終了しなかったことを示す所定の表示パターンをディスプレイ２８に表示するための処理を実行する。なお、本実施形態においては、上記所定の表示パターンにかかる表示パターンデータは、仕向地別仕様デジタルデータとともにコンピュータ９３において生成され、デジタル放送信号に含まれて送信され、フラッシュメモリ３２ａに記憶されているものとする。
また、上記記憶処理が適切に終了したことを示す所定の表示パターンとしては、例えば、仕向地がアメリカならＵＳ、ヨーロッパならＥＵなどの、仕向地をアルファベットで表示したものが考えられる。一方、上記記憶処理が適切に終了しなかったことを示す所定の表示パターンとしては、例えば、アルファベットでＮＧと表示したものが考えられる。
【００５６】
ＣＰＵ２３は、ステップＳ４１５までの処理により、仕向地別仕様デジタルデータが適切にフラッシュメモリ３２ａに記憶されたものと判断した場合は、フラッシュメモリ３２ａから、上記記憶処理が適切に終了したことを示す所定の表示パターンにかかる表示パターンデータを取得する（ステップＳ４２０）。一方、仕向地別仕様デジタルデータが適切にフラッシュメモリ３２ａに記憶されなかったものと判断した場合は、上記記憶処理が適切に終了しなかったことを示す所定の表示パターンにかかる表示パターンデータを取得する（ステップＳ４２５）。
そして、ＣＰＵ２３は、当該取得した表示パターンデータをＭＰＥＧデコード部２７ａに転送し（ステップＳ４３０）、ＭＰＥＧデコード部２７ａのＯＳＤ処理部２７ａ１を制御して表示パターンデータに基づいて、所定の表示パターンを表示するための画像信号を形成する（ステップＳ４３５）。
【００５７】
上記処理を受けて、ＮＴＳＣエンコード部２７ｃは、当該画像信号についてアナログ映像信号への変換を行い、ディスプレイ２８は、当該映像信号に基づく所定の表示パターンを表示する。つまり、上記記憶処理が適切に終了した場合に、仕向地がアメリカならＵＳ、ヨーロッパならＥＵなどの表示パターンがディスプレイ２８に表示される。一方、上記記憶処理が適切に終了しなかった場合には、アルファベットで、ＮＧなどの表示パターンが表示される。
さらに、当該ディスプレイ２８上に表示した表示パターンは、後述するように、表示結果処理装置Ａ３のＣＣＤカメラ部８１を介してパターンマッチング部を担当するコンピュータ８２へ入力され、パターンマッチングの対象となる。
【００５８】
図１２は、上述した調整ステーションＳＴに表示結果処理装置Ａ３を配置した場合の構成を示した構成図である。
同図においては、上述した調整ステーションＳＴに対面して表示結果処理装置Ａ３を配置する。この表示結果処理装置Ａ３は、ＣＣＤカメラ部８１と、パターンマッチング部を担当するコンピュータ８２から構成されている。上記構成において、表示結果処理装置Ａ３のＣＣＤカメラ部８１は、ディスプレイ２８上の所定の表示結果を撮像するとともに、撮像結果を入力パターンデータとしてコンピュータ８２に転送する。コンピュータ８２は転送された入力パターンデータによる入力パターンと、予め登録されている標準パターンとを比較して、パターンマッチングを実行し、入力パターンと最も類似している標準パターンを認識結果として出力する。
【００５９】
図１３は、上記コンピュータ８２が実行するパターンマッチングの処理内容を示したフローチャートである。
同図において、コンピュータ８２は、ＣＣＤカメラ部８１から転送された入力パターンを取得する（ステップＳ５００）。次に、予めコンピュータ８２内に登録されている標準パターンを一つ取得する（ステップＳ５０５）。標準パターンは、上記表示パターンとしてディスプレイ２８に表示される可能性のある全ての表示を、予めコンピュータ８２内に登録したものである。
【００６０】
そして、上記入力パターンと標準パターンをマッチングし、類似の程度を検出する（ステップＳ５１０）。当該パターンマッチングは正規化相関によるラフサーチで行われ、マッチング結果として、マッチングした領域の座標と相関値が得られる。相関値は、どの程度マッチングしているかを示した値であり、０〜１０００の値で示され、完全一致すれば１０００となる。
上記パターンマッチングは一つの入力パターンと複数ある全ての標準パターンについて類似の程度をそれぞれ検出する（ステップＳ５１５）。そして、全ての標準パターンの中で最も相関値の大きい、つまり最も誤差の少ない標準パターンが認識結果になる（ステップＳ５２０）。そして、コンピュータ８２は、当該認識結果を認識結果データとしてコンピュータ９３に送信する（ステップＳ５２５）。
【００６１】
図１４は、生産ライン６０が配置された工場内の通信経路網を示した経路図である。
同図において、上述した表示結果処理装置Ａ３のコンピュータ８２は、構内ＬＡＮに接続されている。そして、この構内ＬＡＮには他にデジタル放送信号の発生処理を実行するコンピュータ９３と、デジタル放送信号の集約と転送を担当するサーバ９４とが接続されている。サーバ９４はデジタル放送信号をデジタル放送信号送信部９０に転送し、デジタル放送信号送信部９０は転送されたデジタル放送信号をコンバータ９１にて変換しアンテナ９２からデジタル放送信号を送信する。
【００６２】
コンピュータ８２から出力された上記認識結果データは、構内ＬＡＮを介してコンピュータ９３に送信される。コンピュータ９３は、上記認識結果データを受信することにより、上記デジタルテレビ本体２０のディスプレイ２８に表示された表示パターンを認識することが可能となり、当該認識結果データの内容により、上記記憶処理が適切に実行されたか否かを認識することができる。
したがって、コンピュータ９３において、当該認識結果データに基づく標準パターンをコンピュータ９３のディスプレイに表示することとすれば、当該ディスプレイを監視する人間が、上記の、ＵＳやＮＧなどの表示を視認することができる。また、コンピュータ９３において上記記憶処理が適切に実行されなかったと認識されたデジタルテレビ受像機については、生産ラインから外すなどの措置を取ることも可能である。すなわち、コンピュータ９３において、デジタル放送信号の発生処理およびデジタルテレビ調整装置Ａ２における記憶処理の結果の認識を一括して行うことにより、集中信号放送装置Ａ１の側において、デジタルテレビ調整システムを統率することが可能となり、デジタルテレビ受像機の生産の効率性が向上する。
【００６３】
このように、集中信号放送装置Ａ１で生成したＯＳＤ表示画面用データなどの仕向地毎に異なるデジタルデータを、デジタルテレビ本体２０が備える共通のメモリに生産ライン上で記憶させることにより、仕向地毎の生産台数に応じて、各仕向地仕様のデジタルテレビを量産することが可能になる。また、集中信号放送装置Ａ１側において、上記デジタルテレビ本体２０のメモリへの記憶処理が適切に実行されたか否かを判断することにより、生産の効率がより向上する。
【図面の簡単な説明】
【図１】本発明にかかるデジタルテレビ調整システムの概念構成図である。
【図２】本発明にかかるデジタルテレビ調整装置の構成を示したブロック構成図である。
【図３】デマルチプレックス部の内部構成を示した構成図である。
【図４】調整ステーションについての構成を示した構成図である。
【図５】アンテナジャックの挿入手法を示した図である。
【図６】トランスポートストリームの構成を示した構成図である。
【図７】デジタル放送信号のチャンネルを認識する構成を示した構成図である。
【図８】デジタル放送信号のチャンネルを指示するチャンネル指示処理の処理内容を示したフローチャートである。
【図９】仕向地別仕様デジタルデータを記憶するための処理内容を示したフローチャートである。
【図１０】仕向地別仕様デジタルデータに基づく表示をディスプレイに表示するための処理内容を示したフローチャートである。
【図１１】チェックサム処理および、所定の表示パターンをディスプレイに表示するための処理の内容を示したフローチャートである。
【図１２】調整ステーションに表示結果処理装置を配置した場合の構成を示した構成図である。
【図１３】パターンマッチングの処理内容を示したフローチャートである。
【図１４】工場内の通信経路網を示した経路図である。
【符号の説明】
Ａ１…集中信号放送装置
Ａ２…デジタルテレビ調整装置
Ａ３…表示結果処理装置
１０…アンテナ部
１１…アンテナ
１２…低雑音コンバータ部
１３…出力端子
２０…デジタルテレビ本体
２１…入力端子
２２…チューナ部
２３…ＣＰＵ
２４…フロントエンド部
２５…トランスポート部
２５ａ…デスクランブル部
２５ｂ…デマルチプレックス部
２５ｃ…ＤＲＡＭ
２６…デジタルインターフェース部
２７…デコード部
２７ａ…ＭＰＥＧデコード部
２７ａ１…ＯＳＤ処理部
２７ｂ…ＤＲＡＭ
２７ｃ…ＮＴＳＣエンコード部
２７ｄ…音声信号Ｄ／Ａ変換部
２８…ディスプレイ
２９…スピーカ
３０…入出力端子
３１…バス
３２…ＲＡＭ
３２ａ…フラッシュメモリ
３３…ＲＯＭ
３４…リモコンＩ／Ｆ
３５…ＩＣカードＩ／Ｆ
４０…リモコン送信機
５０…ＩＣカード
８１…ＣＣＤカメラ部
８２…コンピュータ
９０…デジタル放送信号送信部
９１…コンバータ９１
９２…アンテナ９２
９３…コンピュータ
９４…サーバ
【図１】
2004328373.tif 000003
【図２】
2004328373.tif 000004
【図３】
2004328373.tif 000005
【図４】
2004328373.tif 000006
【図５】
2004328373.tif 000007
【図６】
2004328373.tif 000008
【図７】
2004328373.tif 000009
【図８】
2004328373.tif 000010
【図９】
2004328373.tif 000011
【図１０】
2004328373.tif 000012
【図１１】
2004328373.tif 000013
【図１２】
2004328373.tif 000014
【図１３】
2004328373.tif 000015
【図１４】
2004328373.tif 000016